(57)【要約】【課題】  前倒しシートバックにおいて、ロック解除用操作レバーの操作性を向上させることである。【構成】  操作レバー１をシートバックの側部前面に配設すると共に操作レバー１を前方且つ下方に押し下げ可能に取付けて、操作レバー１を押し下げることにより、リクライニングデバイスのロックを解除することを特徴とする。【選択図】            図１
2008295613.tif 000002
【特許請求の範囲】
【請求項１】
リクライニングデバイスによって前倒れ可能に取付けたシートバックの側部前面に、前記リクライニングデバイスによるロック解除用の操作レバーを配設すると共に、該操作レバーは前方且つ下方への押し下げ可能に枢着し、該操作レバーの押し下げ操作によって前記リクライニングデバイスによるロックを解除することを特徴とする前倒しシートバックのロック解除用操作部構造。
【請求項２】
前記操作レバーは、リクライニングデバイスを被覆するカバー部材の収容部内に設け、該収容部における操作レバーの下部を挿通するスリットの上方には、操作レバーの内面方向に膨出状に成形した異物侵入防止部を設けてなる請求項１記載の前倒しシートバックのロック解除用操作部構造。
【請求項３】
前記操作レバーの上部内面には、内方にリブ状に突出する操作指位置決め部を設けてなる請求項１記載の前倒しシートバックのロック解除用操作部構造。
【請求項４】
前記操作レバーの内面下部には、前記スリットを隠蔽する目隠し用突出部を設けてなる請求項１記載の前倒しシートバックのロック解除用操作部構造。
【発明の詳細な説明】
【技術分野】
【０００１】
本発明は、前倒しシートバックのロック解除用操作部構造に関する。
【背景技術】
【０００２】
従来の、例えばリャシートにはシートバックが水平状に前倒れし、その背面を荷台として利用できるものがある。
そして、このシートバックの前倒れ用の操作部材は例えば特開２００２−２０９６５９号公報に開示されているように、シートバックの頂部に配設して、遠隔操作によってシートバックのロックを解除し、シートバックを前倒れするようにしている。
【０００３】
従って、シートバックの前倒し操作は、シートバックの頂部まで手を延ばして行う必要があり、その操作性が悪い不具合がある。
【０００４】
斯る不具合を除去するために、シートバックの頂部とそれ以外の例えば、シートバックの側部に各々操作レバーを設けたものが開示されている(例えば特開２００５−５２１７０号公報)。
【０００５】
これは、シートバックの側面より操作レバーが外方に突出するため不具合があり、この不具合は例えば特開２０００−１０８７３７号公報に開示されているように、操作レバーをシートバックの側面より突出しないような構造にしたものを応用することにより除去できる。
【０００６】
【特許文献１】特開２００２−２０９６５９号公報
【特許文献２】特開２００５−５２１７０号公報
【特許文献３】特開２０００−１０８７３７号公報
【発明の開示】
【発明が解決しようとする課題】
【０００７】
以上のシートバックの下部側面側に、シートバックのロック解除用操作レバーを設けたものは、いずれも操作レバーを上方に回動操作してロックを解除する構造である。
【０００８】
ところが、シートバックの前倒し操作時において、シートバックの前倒れ方向と、操作者の指先の操作レバーに対する操作力の方向とが向き合う方向になるため、操作レバーの操作性が頗る悪くなる。
【０００９】
そこで、本発明は横幅方向を操作レバーによって狭くすることのない前倒しシートバックにおいて、そのロック解除用操作レバーの操作性を向上させることを目的とする。
【課題を解決するための手段】
【００１０】
以上の目的を達成するための本発明に係る前倒しシートバックのロック解除用操作部構造は、リクライニングデバイスによって前倒れ可能に取付けたシートバックの側部前面に、前記リクライニングデバイスによるロック解除用の操作レバーを配設すると共に、該操作レバーは前方且つ下方への押し下げ可能に枢着し、該操作レバーの押し下げ操作によって前記リクライニングデバイスによるロックを解除することを特徴とする構成である。
【００１１】
そして、前記操作レバーは、リクライニングデバイスを被覆するカバー部材の収容部内に設け、該収容部における操作レバーの下部を挿通するスリットの上方には操作レバーの内面方向に膨出状に成形した異物侵入防止部を設けるようにするのが好ましい。
【００１２】
更に、前記操作レバーの上部内面には、内方にリブ状に突出する操作指位置決め部を設けるようにするのが望ましい。
【００１３】
加えて、前記操作レバーの内面下部には、前記スリットを隠蔽する目隠し用突出部を設けると良い。
【発明の効果】
【００１４】
本請求項１の発明によれば、操作レバーを操作し、シートバックを前倒しする際に、シートバックの前倒れ方向と操作レバーの操作方向である押し下げ方向とが一致するため、操作者の指先による操作レバーの押し下げに追従してシートバックが前倒れする。従って、操作レバーの操作性が良好となり、前記従来品の不具合を除去できる。
【００１５】
本請求項２の発明によれば、カバー部材の収納部及びスリットに対する異物の侵入を異物侵入防止部により防止されるため、操作レバーの機能性、操作性の低下を防止できる。その結果、前記操作レバーの操作性の向上を確保できる。
【００１６】
本請求項３の発明によれば、操作レバーに対する操作者の指先の位置が、操作指位置決め部によって、所定位置に位置決めされるため、操作レバーの操作性が安定し、操作レバーの操作性を一層向上させることができる。
【００１７】
本請求項４の発明によれば、操作レバーを押し下げた際、目隠し用突出部により、カバー部材の操作レバーの下部を挿通するスリットが隠蔽されると共に、スリット内への異物の侵入を防止できる。  
そのため、操作レバーの押し下げ操作時における外観品質を損なうこともないし、操作レバーが異物によって操作性を損なうこともない。
【発明を実施するための最良の形態】
【００１８】
本発明の一実施例を図面に基づいて説明する。  
図１は、シートバックＳＢがリクライニングデバイス(不図示)により前倒し可能に、車床又はシートクッションＳＣ側に取付けされているリャシートを示す。
【００１９】
このシートバックＳＢの下部側面には、リクライニングデバイスを被覆する樹脂製のカバー部材２が設けてあり、このカバー部材２に有する凹窪状の収容部２Ａに、リクライニングデバイスによるシートバックＳＢのロック解除用の操作レバー１が収容されている。
【００２０】
なお、以上のリクライニングデバイスは、シートバックＳＢの外側面１００の延長線上より外方に突出しないように配設されている従来周知の構造のものである。
【００２１】
以上のリクライニングデバイスには図４に示す前記操作レバー１の下端より延設した連結部１５が、リンクなどの連結部材を介して連結され、操作レバー１の先端である上端に設けた操作部１１を図１、２の矢印方向に指先で押し下げると、リクライニングデバイスによるロックが解除されるように構成されている。
このロック解除により、リクライニングデバイスのリターンスプリングの弾力により、シートバックＳＢは前倒れする。
【００２２】
操作レバー１はその本体１０の下部がカバー部材２に両端が支持されている回転軸２６に回動自在に枢着することにより、操作部１１側が前方且つ下方に回動するように取付けられ、図２に示すバネ２７の弾力によって上部がを収容部２Ａ方向に付勢され収容されている。
【００２３】
そして、操作レバー１は、図２−図４に示すように、本体１０の上端に操作部１１を有し、この操作部１１の内方に向けてリブ状に操作指位置決め部１２が突設されている。
【００２４】
この操作指位置決め部１２は操作部１１の後述するカバー部材１の収容部２Ａ内側壁２２側に、内側壁２２に沿って設けてあり、操作レバー１の操作部１１に操作者の指先を当てた際に、指先が内側壁２２に接触することがないように、操作者の指先の位置を所定位置に位置決めしている。
【００２５】
また、操作レバー１の本体１０内側下部には、カバー部材２に設けた前記操作レバー１の連結部１５挿通用のスリット２５を隠蔽する目隠し用突出部１３が横方向に設けてあり、この目隠し用突出部１３によって、操作レバー１を押し下げて図２鎖線に示す状態に操作した際に、前記スリット２５が外部から視覚されないようにしている。図中１４は多数の補強片部で本体１０の内側に一体成形されている。
【００２６】
一方、カバー部材２には外側及び前面を開放状にした凹窪から収容部２Ａが設けてあり、この収容部２Ａ内に収容した操作レバー１の操作部１０に対して、上方及び側方より操作者の指先が差し込めるように形成されている。
【００２７】
収容部２Ａは湾曲状の立壁部２０と内側壁２２とから構成され、その立壁部２０の下部には操作レバー１の内面方向に膨出状に成形した異物侵入防止部２１を設けて、異物が操作レバー１の内面下部とカバー部材２との間及びスリット２５に落下などして侵入しないように形成されている。
【００２８】
このカバー部材２は取付ネジ２８、２８でシートバックＳＢ側に固定され、収容部２Ａの下部左右に、前方に向けて突出させた取付片部２４を設け、この取付片部内に収容した操作レバーの下部を回転軸２６で回動自在に枢着している。図中１６は回動軸、２６は挿通孔、２９はゴム製ダンパーを各々示す。
【００２９】
斯して、収容部２Ａの側方又は上方より操作者が指先を差し込み、操作レバー１の操作部１１の内側で操作指位置決め部１２の外側に、その指先を当て、図１矢印方向である前方且つ下方に、操作部１１を押し下げると、リクライニングデバイスによるロックが解除され、シートバックＳＢはリターンスプリングの弾力により前倒れする。
【００３０】
即ち、操作者の指先によるロック解除の操作に追従してシートバックＳＢが前倒れするため、操作者によるシートバックＳＢのロック解除の操作性が良い。
本発明はリャシートの他にフロントシートなどにも利用可能である。
【図面の簡単な説明】
【００３１】
【図１】要部を示す斜視図である。
【図２】図１のＡ―Ａ線断面図である。
【図３】図２のＢ―Ｂ線断面図である。
【図４】本発明に係る操作レバーの断面図である。
【符号の説明】
【００３２】
１…操作レバー、１２…操作レバーの操作指位置決め部、１３…操作レバーの目隠用突出部、２…カバー部材、２Ａ…カバー部材に設けた収容部、２１…カバー部材の異物侵入防止部。
【図１】
2008295613.tif 000003
【図２】
2008295613.tif 000004
【図３】
2008295613.tif 000005
【図４】
2008295613.tif 000006